(57)【要約】【課題】小型で持ち運びが容易なリールユニットを提供する。【解決手段】リールユニット５１の支持枠体５３は、各リール１３Ｌ，１３Ｍ，１３Ｒをそれぞれ回転軸周りに回転可能に支持し、各リール１３Ｌ，１３Ｍ，１３Ｒの回転軸とそれぞれ連結されたモータを支持している。支持枠体５３の天板部５３ａには、モータの制御回路が実装された基板６１が横置きに配設されるとともに、この基板６１を被包する基板ケース６３が配設されている。基板６１は基板ケース６３とともに天板部５３ａにねじ止めされている。基板ケース６３には、左右方向に細長いほぼ矩形の透孔６３２が透設されている。また、基板ケース６３には、透孔６３２を左右方向に跨ぐように取手６９が一体的に形成されている。【選択図】  図２
2010042318.tif 000002
【特許請求の範囲】
【請求項１】
筐体と、前記筐体の前面を開閉自在に閉塞する前面パネルとを備える遊技機の内側に配置されるリールユニットにおいて、
それぞれ周面に複数の図柄が表示された複数のリールと、
前記各リールをそれぞれ駆動する複数のモータと、
前記各リールおよび前記各モータを保持するフレームと、
前記モータを制御する制御回路が実装され前記フレーム上に横置きにされた基板と、
前記基板を被包するとともに前記基板と一緒に前記フレーム上に固定される基板ケースと、
前記基板ケースと一体的に形成された持ち運びのための取手と
を備えたことを特徴とするリールユニット。
【請求項２】
前記取手は、前記フレームの左右方向においてほぼ中央に配置されている請求項１に記載のリールユニット。
【請求項３】
前記基板ケースは、前記フレームの左右方向において中央より左寄りに配設され、
前記取手は、前記基板ケースの左右方向において中央より右寄りに配設され、
前記基板ケースの少なくとも左側にコネクタ用孔が透設されている請求項１または２記載のリールユニット。
【請求項４】
前記取手は、下面を形成する平板と、前記平板の上面に左右方向に延びて立設される薄板状のリブとを有する把持部を備えている請求項１ないし３のいずれかに記載のリールユニット。
【発明の詳細な説明】
【技術分野】
【０００１】
本発明は、スロットマシンなどの遊技機が備えるリールユニットに関するものである。
【背景技術】
【０００２】
一般的なスロットマシンなどの遊技機は、外周面に複数の図柄が描かれた３個のリールを一斉に回転開始するためのスタートスイッチ、各リールに対応する３個のストップスイッチなどを備え、１〜３枚のメダルを投入した後にスタートスイッチの操作で３つのリールが回転を開始するとともに、入賞態様を決定するための抽選が行われる。そして、遊技者が各リールに対応するストップスイッチを順次操作することで対応するリールの回転が停止するが、上記抽選により所定の入賞態様に当選した場合には、その入賞態様に対応する図柄の組合せが揃いやすくなるようにリールの停止制御が行われ、その図柄の組合せがメダル投入枚数に応じて有効化された１又は複数の入賞ライン上に停止すると、その入賞態様に応じて予め設定された枚数のメダルが受け皿に払い出される。このような遊技機では、従来、３個のリールおよび各リールを回転駆動する３個のモータがリールユニットとしてユニット化されている（例えば特許文献１参照）。この特許文献１に記載のリールユニットでは、各モータを駆動するための制御回路が実装された基板がリールの上方に載置されている。
【先行技術文献】
【特許文献】
【０００３】
【特許文献１】特開２００４−１５４４４７号公報（図１）
【発明の概要】
【発明が解決しようとする課題】
【０００４】
ところが、上記従来の特許文献１に記載のリールユニットでは、リールの上方にフレームを延設し、基板を縦置きにして延設されたフレームに固定しているため、高さ方向にユニットの大型化を招いている。そこで、ユニットの小型化を図るためには、基板をユニットの天板に横置きにすることが考えられる。一方、遊技機の組立時や修理時にはリールユニットを持ち運ぶことになるが、上記特許文献１に記載のリールユニットを持ち運ぶ際には、上方に延設されたフレームを把持すればよい。これに対して、リールユニットの小型化を図るために基板をユニットの天板に横置きにした構成では、フレームをリールの上方に延設することが不要になるため、把持するための構成を別途設けないと持ち運びが困難になるという問題が生じる。
【０００５】
本発明は、上記課題に鑑みてなされたもので、小型で持ち運びが容易なリールユニットを提供することを目的とする。
【課題を解決するための手段】
【０００６】
上記目的を達成するために、本発明にかかるリールユニットは、筐体と、前記筐体の前面を開閉自在に閉塞する前面パネルとを備える遊技機の内側に配置されるリールユニットにおいて、それぞれ周面に複数の図柄が表示された複数のリールと、前記各リールをそれぞれ駆動する複数のモータと、前記各リールおよび前記各モータを保持するフレームと、前記モータを制御する制御回路が実装され前記フレーム上に横置きにされた基板と、前記基板を被包するとともに前記基板と一緒に前記フレーム上に固定される基板ケースと、前記基板ケースと一体的に形成された持ち運びのための取手とを備えたことを特徴としている（請求項1）。
【０００７】
また、前記取手は、前記フレームの左右方向においてほぼ中央に配置されているとしてもよい（請求項２）。
【０００８】
また、前記基板ケースは、前記フレームの左右方向において中央より左寄りに配設され、前記取手は、前記基板ケースの左右方向において中央より右寄りに配設され、前記基板ケースの少なくとも左側にコネクタ用孔が透設されているとしてもよい（請求項３）。
【０００９】
また、前記取手は、下面を形成する平板と、前記平板の上面に左右方向に延びて立設される薄板状のリブとを有する把持部を備えているとしてもよい（請求項４）。
【発明の効果】
【００１０】
請求項１の発明によれば、フレーム上に横置きに配設された基板を被包するとともにフレームに固定する基板ケースと一体的に取手が形成されているため、リールユニットの持ち運びを容易に行うことができる。
【００１１】
また、請求項２の発明によれば、取手は、基板をフレームに固定した状態でフレームの左右方向ほぼ中央に位置するように形成されているため、取手を把持してリールユニットを持ち上げたときにほぼ重心で保持することができ、リールユニットを安定して持ち運ぶことができる。
【００１２】
また、請求項３の発明によれば、取手が基板ケースの左右方向において中央より多少右寄りに形成され、基板ケースがフレームの左右方向において中央より多少左寄りに配設されているため、取手がフレームの左右方向においてほぼ中央に位置することとなる。
【００１３】
また、請求項４の発明によれば、取手は、把持部の平板により把持が容易であり、リブにより一定の強度を持つようになされている。
【図面の簡単な説明】
【００１４】
【図１】本発明にかかるリールユニットの一実施形態を備えたスロットマシンの外観を示す斜視図である。
【図２】本発明にかかるリールユニットの一実施形態の斜視図である。
【図３】本発明にかかるリールユニットの一実施形態の正面図である。
【図４】本発明にかかるリールユニットの一実施形態の平面図である。
【図５】本発明にかかるリールユニットの一実施形態の右側面図である。
【図６】図２のリールユニットから基板ケースを取り外した状態の斜視図である。
【図７】基板ケースの斜視図である。
【図８】基板ケースの正面図である。
【図９】基板ケースの平面図である。
【図１０】基板ケースの右側面図である。
【図１１】基板の斜視図である。
【図１２】基板の平面図である。
【発明を実施するための形態】
【００１５】
図１は本発明にかかるリールユニットの一実施形態を備えたスロットマシンの外観を示す斜視図である。このスロットマシン１は、例えば図１に示すように構成されている。即ち、このスロットマシン１では、筐体３の前面が前面パネル５により開閉自在に閉塞され、この前面パネル５のほぼ中央高さの位置に操作板７が配設されると共に、この操作板７の上方に正面板９が配設されている。
【００１６】
そして、正面板９には横長矩形の表示窓１１が設けられている。また、表示窓１１の内側には、それぞれ周面に複数の図柄が表示された左・中・右リール１３Ｌ，１３Ｍ，１３Ｒ（図２参照）を含むリールユニット５１（図２参照）が配置され、表示窓１１からは、リール１３Ｌ，１３Ｍ，１３Ｒの図柄が上段・中段・下段の各々３個ずつ覗くように設定されている。更に、操作板７には、内部に貯留されているクレジットメダルから１枚ずつのメダル投入を指示するためのベットスイッチ１５、クレジットメダルから一遊技あたりの最大投入枚数（例えば３枚）のメダル投入を指示するための最大ベットスイッチ１７、各リールの回転を開始させるためのレバー状のスタートスイッチ１９、左・中・右リール１３Ｌ，１３Ｍ，１３Ｒの回転をそれぞれ停止させるための左・中・右ストップスイッチ２１Ｌ，２１Ｍ，２１Ｒ、クレジットメダルを払い出すための精算スイッチ２３、およびメダル投入口２５が設けられている。
【００１７】
また、正面板９の上方のほぼ中央には、動画などを表示して演出を行うための液晶表示器２７が設けられ、液晶表示器２７のすぐ上方には、各種の入賞図柄が表示された説明パネル２９が設けられ、これら液晶表示器２７および説明パネル２９の左右には、音楽などによる演出を行うためのスピーカ３１Ｌ，３１Ｒがそれぞれ設けられている。また、説明パネル２９およびスピーカ３１Ｌ，３１Ｒの上辺には中央ランプ部３３Ｍが配設され、その左右には左・右ランプ部３３Ｌ，３３Ｒがそれぞれ配設されている。各ランプ部３３Ｍ，３３Ｌ，３３Ｒには、それぞれ発光ダイオードなどの光源が配設されている。これらのランプ部３３Ｍ，３３Ｌ，３３Ｒは一体的に形成され、遊技者に当選や入賞を告知するなどの演出を行うための上部ランプ部３３を構成している。
【００１８】
また、操作板７の下方には、装飾画などが表示された下部パネル３５が設けられ、この下部パネル３５の左右には、それぞれ複数の光源が例えば２列に並んで配置された下部ランプ部３７Ｌ，３７Ｒが設けられている。また、下部パネル３５の下方には、メダルの払出口３９や、この払出口３９から払い出されるメダルを受けるメダル受け４１が設けられている。また、筐体３の内部のリール１３Ｌ，１３Ｍ，１３Ｒの下方には、メダルを払出口３９に排出するためのホッパーユニット（図示省略）が配設されている。
【００１９】
図２〜図５はそれぞれ本発明にかかるリールユニットの一実施形態を示す図で、図２は斜視図、図３は正面図、図４は平面図、図５は右側面図である。また、図６は図２のリールユニットから基板ケースを取り外した状態の斜視図である。また、図７〜図１０はそれぞれ基板ケースを示す図で、図７は斜視図、図８は正面図、図９は平面図、図１０は右側面図である。また、図１１は基板の斜視図、図１２は基板の平面図である。
【００２０】
リールユニット５１の支持枠体５３は、天板部５３ａと底板部５３ｂと右枠部５３ｃと左枠部５３ｄとから構成されている。この支持枠体５３は、各リール１３Ｌ，１３Ｍ，１３Ｒをそれぞれ回転軸５５周りに回転可能に支持している。さらに、この支持枠体５３は、各リール１３Ｌ，１３Ｍ，１３Ｒの回転軸５５とそれぞれ連結されたモータ５７Ｌ，５７Ｍ，５７Ｒを支持している。また、支持枠体５３の天板部５３ａには、モータ５７Ｌ，５７Ｍ，５７Ｒの制御回路５９が実装された矩形の基板６１が横置きに配設されるとともに、この基板６１を被包する基板ケース６３が配設されている。
【００２１】
図１２において、基板６１の左半部のほぼ中央と右半部のほぼ中央とには、それぞれねじを通すための丸孔６１１Ｌ，６１１Ｒが透設されている。そして、丸孔６１１Ｌが通る線を左辺とし、丸孔６１１Ｒが通る線を右辺とする所定サイズの矩形領域６１２を除く領域に、制御回路５９を構成する電子部品６５，６５，…や制御回路５９と外部の電子回路とを接続するためのコネクタ６７，６７，…などが実装されている。このように電子部品６５やコネクタ６７の実装位置を制限することによって、矩形領域６１２には配線パターンが形成されないようにしている。
【００２２】
一方、基板ケース６３は、平面視で基板６１より多少大きく、かつ、正面視で基板６１および電子部品６５，６５，…を合わせた寸法より多少高い箱形に形成され、これによって基板６１を被包している。また、基板ケース６３には、基板６１のコネクタ６７，６７，…の対向位置にコネクタ用孔６３１，６３１，…が透設されており、これによってコネクタ６７，６７，…がそれぞれ対応するコネクタと嵌合可能になっている。
【００２３】
また、例えば図９に示すように、基板ケース６３には、上下方向においてほぼ中央、かつ左右方向において多少右寄りに、左右方向に細長いほぼ矩形の透孔６３２が透設されている。また、基板ケース６３には、丸孔６１１Ｌから丸孔６１１Ｒにかけて、透孔６３２を左右方向に跨ぐように取手６９が一体的に形成されている。この取手６９は、左右の立設部６９１Ｌ，６９１Ｒと、水平方向に延びて左右の立設部６９１Ｌ，６９１Ｒを互いに連結する把持部６９２とからなる。そして、左右の立設部６９１Ｌ，６９１Ｒのほぼ中央で基板６１の丸孔６１１Ｌ，６１１Ｒに対応する位置には、それぞれねじを通すための丸孔６３３Ｌ，６３３Ｒが透設されている。また、把持部６９２は、下面の平板６９３と平板６９３の上面に左右方向に延びて立設される薄板状のリブ６９４とから構成され、平板６９３により把持を容易にし、リブ６９４により一定の強度を持つようになされている。
【００２４】
そして、支持枠体５３の天板部５３ａには、丸孔６１１Ｌ，６１１Ｒに対応する位置にそれぞれねじ孔（図示省略）が螺刻されており、ねじ７１Ｌ，７１Ｒ（図６）をそれぞれ基板ケース６３の丸孔６３３Ｌ，６３３Ｒおよび基板６１の丸孔６１１Ｌ，６１１Ｒを通して天板部５３ａの各ねじ孔に螺合させることにより、基板６１が基板ケース６３とともに支持枠体５３の天板部５３ａに固定される。ここで、取手６９が基板ケース６３の左右方向において中央より多少右寄りに形成され、基板ケース６３が天板部５３ａの左右方向において中央より多少左寄りに配設されているため、取手６９が天板部５３ａの左右方向においてほぼ中央に位置することとなる。このように、この実施形態では、支持枠体５３が本発明の「フレーム」に相当する。
【００２５】
以上説明したように、この実施形態によれば、基板６１を支持枠体５３の天板部５３ａ上に横置きに配設しているため、リールユニット５１の小型化が可能になる。また、基板６１を被包するとともに天板部５３ａに固定する基板ケース６３と一体的に取手６９が形成されているため、リールユニット５１の持ち運びを容易に行うことができる。
【００２６】
また、この実施形態によれば、取手６９は基板ケース６３に設けられた左右方向に細長形状の透孔６３２を左右方向に跨ぐように形成されているため、取手６９および基板ケース６３を一体成形するための金型の耐久性を向上することができるとともに、金型の製造コストを低減することができる。また、取手６９は、基板６１を天板部５３ａに固定した状態で天板部５３ａの左右方向においてほぼ中央に位置するため、取手６９を把持してリールユニット５１を持ち上げたときにほぼ重心で保持することができ、リールユニット５１を安定して持ち運ぶことができる。
【００２７】
また、この実施形態によれば、基板ケース６３の透孔６３２が、基板６１の配線パターンの形成されていない矩形領域６１２に対向して透設されているため、基板ケース６３の透孔６３２に例えばメダルなどの導電性物体が載置された場合でも、短絡して基板６１に実装されている制御回路５９が故障するのを未然に防止することができる。
【００２８】
なお、本発明は上記実施形態に限定されるものではなく、その趣旨を逸脱しない限りにおいて上述したもの以外に種々の変更を行うことが可能である。例えば、上記実施形態では、基板ケース６３に透孔６３２を透設し、この透孔６３２を左右方向に跨ぐように取手６９を形成しているが、本発明はこれに限られず、透孔６３２を設けなくてもよい。
【符号の説明】
【００２９】
１…スロットマシン、１３Ｌ，１３Ｍ，１３Ｒ…リール、５１…リールユニット、５３…支持枠体（フレーム）、５３ａ…天板部、５７Ｌ，５７Ｍ，５７Ｒ…モータ、５９…制御回路、６１…基板、６１２…矩形領域（基板の配線パターンの形成されていない領域）、６３…基板ケース、６３２…透孔、６９…取手
【図１】
2010042318.tif 000003
【図２】
2010042318.tif 000004
【図３】
2010042318.tif 000005
【図４】
2010042318.tif 000006
【図５】
2010042318.tif 000007
【図６】
2010042318.tif 000008
【図７】
2010042318.tif 000009
【図８】
2010042318.tif 000010
【図９】
2010042318.tif 000011
【図１０】
2010042318.tif 000012
【図１１】
2010042318.tif 000013
【図１２】
2010042318.tif 000014